(57)【要約】【課題】遊技球の入賞を検知する検知センサのセンサケーブルに不正な手段によって物理的にアクセスされた場合も検知センサより誤って検知信号を発する虞のない遊技機を提供する。【解決手段】始動入賞口２１および検知センサ２２ａを備える始動入賞装置２０と、検知センサより前後方向に向かって引き出されたセンサケーブル４１と、検知センサからの検知信号を処理するコンピュータ６０が搭載された制御基板６１と、遊技球の入賞するチャッカー１５と、を少なくとも有する遊技機において、遊技盤の裏面側には、背面３２、および前記センサケーブルを導出するための切欠または通孔を備える周面３３を備え、入賞口に入賞した遊技球の流路を形成する裏樋部材３０が、前記始動入賞装置を後方より覆うように設けられていることを特徴とするパチンコ機１０。【選択図】図３
0003125466.tif 000002
【実用新案登録請求の範囲】
【請求項１】
開口部を有する遊技盤と、前記開口部に取り付けられ、遊技球の入賞により図柄変動ゲームを開始させるための始動入賞口および該始動入賞口に遊技球が入賞したことを検知する検知センサを備える始動入賞装置と、前記検知センサより前後方向に向かって引き出されたセンサケーブルと、検知センサからの検知信号を処理するコンピュータが搭載された制御基板と、遊技球の入賞するその他入賞口と、を少なくとも有する遊技機において、
遊技盤の裏面側には、背面、および前記センサケーブルを導出するための切欠または通孔を備える周面を備え、前記始動入賞口またはその他入賞口に入賞した遊技球の流路を形成する裏樋部材が、前記始動入賞装置を後方より覆うように設けられていることを特徴とする遊技機。
【請求項２】
始動入賞装置が、遊技盤の前面側で揺動して遊技球の流路を開閉する揺動体と、該揺動体を駆動する揺動体駆動装置とを備える請求項１に記載の遊技機。
【請求項３】
始動入賞装置には、前記検知センサと揺動体駆動装置とが横並びに設けられるとともに、前記始動入賞口から検知センサに至る遊技球の流路が曲げ形成されていることを特徴とする請求項２に記載の遊技機。
【請求項４】
裏樋部材の前記背面が遊技盤と対向する平面状に形成されるとともに、前記センサケーブルが接続されて検知センサからの前記検知信号を前記制御基板に中継して送信するための中継基板が、前記背面上に搭載されている請求項１から３のいずれかに記載の遊技機。
【請求項５】
前記センサケーブルが、裏樋部材に覆われた内部空間において他のケーブルと結束されていることを特徴とする請求項１から４のいずれかに記載の遊技機。
【考案の詳細な説明】
【技術分野】
【０００１】
本考案はパチンコ機などの遊技機に関し、特に始動入賞装置への後方からの不正なアクセスを防止することのできる遊技機に関する。
【背景技術】
【０００２】
遊技盤の盤面に沿って遊技球を転動流下させ、遊技盤に設けられた電動役物である入賞装置の入賞口（いわゆるチャッカー）に遊技球を入れることで、大当たりの抽選や賞球の払い出しを受ける方式の遊技機としては、パチンコ機やアレンジボールなどが存在する。これらの遊技機においては、大当たりの当選や賞球数を決定する上で、入賞口への遊技球の入賞の有無およびそのタイミングがきわめて重要となるため、入賞した遊技球の流路上に検知センサを設置して入賞判定を正確に行っている。
【０００３】
検知センサの動作原理は一通りではないが、遊技球よりも大径の通過孔にフォトセンサまたは磁気センサを設け、これと検出確認回路とで遊技球の通過の判定を行う方式が一般的である（下記特許文献１を参照。）。検知センサで遊技球の入賞が検知されると、検知センサより遊技機のコンピュータに対して検知信号が送信され、これに基づいて大当たりの抽選や賞球の払い出しなどが実行される。
検知信号は、具体的には検知センサからの出力電圧を矩形変化させることにより表現されることが通常である。換言すると、検知センサから出力される電圧波形が矩形変化したことを知覚するとコンピュータは遊技球が入賞したものと判断する。
【０００４】
一方、検知センサからは、入賞した遊技球の流路と干渉せぬよう、遊技盤の後方にむかってセンサケーブルが引き出され、該ケーブルを通じて検知信号が遊技機のコンピュータに伝達される。検知センサとセンサケーブルとは、組立作業性やメンテナンス性などの観点から一般にコネクタを介して着脱可能に装着される。なお本考案においては、前方側とは遊技盤に向かう遊技者の側を意味し、後方側および背面側とはその反対側を意味する。また上下方向および左右方向とは遊技者からみた各方向を意味するものとする。
【０００５】
ここで、遊技盤の後方より検知センサのコネクタに引き抜き荷重を与えると、コネクタが弾性引張変形をするとともに半差し状態に引き抜かれるため、検知センサからの出力電圧が一時的に低下し、これをコンピュータが入賞の発生と誤認する虞がある。半差し状態となったところで引き抜き荷重の付与を停止すると、または後方より押し込み荷重を与えると、弾性復元力によりコネクタは検知センサに再び装着された状態となる。
【０００６】
したがって検知センサのコネクタに後方より物理的にアクセスしてこれに振動荷重を与えることにより、コンピュータによる入賞の誤検出が連続的に発生してしまう虞がある。かかる不正行為（いわゆるゴト行為）がなされた場合、遊技球の入賞とは無関係に大当たり抽選を受け、また賞球の不正な払い出しを受けることが可能になるために問題となる。
【０００７】
具体的な不正行為の手法としては、例えば遊技機の前面または側面に不正に設けた通孔等から、先端を鉤状に曲げたピアノ線やセル板（腰の強い細帯状のプラスチックフィルム）などの柔軟体を挿し込み、該柔軟体を徐々に奥方へ押し込んでいくことで、遊技機の機枠と遊技盤との間を通じてその先端を遊技盤の背面側に到達させ、柔軟体をさらに押し込むことで鉤状の先端を遊技盤の裏面に沿って上昇させ始動入賞装置から後方に延びるセンサケーブルに至るというものが想定される
なお、検知センサとセンサケーブルとがコネクタを介することなく、ハンダ付けなどにより直接接合されている場合についても、センサケーブルに引抜荷重が与えられた場合はハンダ接合部を通じて検知センサの回路基板に外力が付与されて誤作動を生じる虞があり、上記と同様の問題が懸念される。
【０００８】
遊技機においては、多様なゲーム性を演出するため、複数種類の入賞口が用意されていることが通常である。ひとつは始動入賞口であり、これは遊技球が入賞することで遊技盤上に設けられた液晶パネルなどの図柄表示装置によって図柄変動ゲームを開始させるものである。図柄変動ゲームにおいて所定の図柄が揃えられた場合には大当たり当選となり、多くの賞球が期待される。その他入賞口としては、所定数の賞球が払い出されたり図柄変動ゲームを優位にしたりする各種のチャッカーや、大当たり時に開放される大入賞口などがある。
【０００９】
また、始動入賞装置に対して不正器具により後方から物理的にアクセスされた場合には上記した入賞判定の誤作動のほか、以下の不正操作が行われる懸念もある。すなわち始動入賞装置には、一時的に遊技球の入賞を促進するために、始動入賞口に至る遊技球の流路の一部を開閉する一対の揺動体と、これを開閉駆動する駆動装置が設けられることが一般的である。始動入賞装置には、大きく分けて、
（１）始動入賞口を一つのみ備え、該入賞口を挟むように一対の揺動体が設けられて所定のタイミングで開閉駆動されるタイプ；
（２）二つの始動入賞口を上下に備え、下側の始動入賞口にのみ、これを挟むように一対の揺動体が設けられて所定のタイミングで開閉駆動されるタイプ；
がいずれも広く存在する。
かかる始動入賞装置に対し、上記柔軟体などの不正器具を用いて駆動装置または揺動体自身に物理的にアクセスし、揺動体の開放状態を強制的に維持させることで遊技球の入賞確率を持続的に向上させ、以って大当たりの当選や賞球の払い戻しを不正に多く得ようとする不正行為が想定され、また現に問題となっている。
【００１０】
これらの不正行為に対しては、検知センサとセンサケーブルとの接続箇所や、揺動体自身およびその駆動装置に物理的にアクセスすることができぬよう、始動入賞装置の全体を後方よりカバー部材によって被覆することが検討しうる。例えば下記特許文献２には、始動玉検出器と通過玉検出器とを後方より被覆するための入賞玉誘導カバー体を遊技盤の背面側に取り付けた弾球遊技機の発明が記載されている。
【００１１】
【特許文献１】特開２０００−３５０８３８号公報
【特許文献２】特開２００１−１１２９３２号公報
【考案の開示】
【考案が解決しようとする課題】
【００１２】
しかし上記特許文献２に記載の弾球遊技機では、揺動体の不正かつ強制的な開放行為は排除可能と考えられるものの、検知センサへの引抜荷重の付与によって引き起こされる入賞判定の誤作動については、これを有効に防止することは以下の理由により困難である。
まず、遊技盤の寸法制約から一般に始動入賞装置は幅寸法を極力小さくすることが求められるため、入賞した遊技球の流路を奥行（前後）方向に形成し、また検知センサの長手方向を奥行方向に向け、センサケーブルを検知センサからまっすぐ後方に引き出すよう構成することが通常である。
これに対し上記特許文献２に記載の弾球遊技機では、始動玉検出器や通過玉検出器から延びる配線（センサケーブルに相当）を挿通する開口が入賞玉誘導カバー体の後面側に形成されているため、当該配線に物理的にアクセスしてこれに後方への荷重を与えた場合、検知センサと配線との接続箇所には引き抜き荷重が作用して検知信号の誤認識を誘発することが懸念される。
【００１３】
本考案は上記課題を解決するためになされたものであり、始動入賞口への遊技球の入賞を検知する検知センサのセンサケーブルが不正な手段によって物理的にアクセスされた場合も、検知センサから誤って検知信号を発する虞のない遊技機を提供することを主たる目的とし、また始動入賞口に至る遊技球の流路を開閉する揺動体の駆動装置にアクセスして揺動体を強制的に開放するという不正行為を防止することのできる遊技機を提供することを更なる目的とする。
【課題を解決するための手段】
【００１４】
本考案は、始動入賞装置を裏樋部材によって後方より被覆し、さらにその背面ではなく周面に切欠または通孔を設けることで、検知センサからの導出方向と直交する方向にむかってセンサケーブルを裏樋部材から引き出すことを可能とし、これによりセンサケーブルに外部から引張荷重が負荷された場合もこれを該ケーブルへの剪断方向の荷重に変え、もって検知センサとセンサケーブルとの接続箇所に引き抜き荷重が伝達されることを防止するという技術に基づくものである。
すなわち本考案は、
（１）開口部を有する遊技盤と、前記開口部に取り付けられ、遊技球の入賞により図柄変動ゲームを開始させるための始動入賞口および該始動入賞口に遊技球が入賞したことを検知する検知センサを備える入賞装置と、前記検知センサより前後方向に向かって引き出されたセンサケーブルと、検知センサからの検知信号を処理するコンピュータが搭載された制御基板と、遊技球の入賞するその他入賞口と、を少なくとも有する遊技機において、
遊技盤の裏面側には、背面、および前記センサケーブルを導出するための切欠または通孔を備える周面を備え、前記始動入賞口またはその他入賞口に入賞した遊技球の流路を形成する裏樋部材が、前記入賞装置を後方より覆うように設けられていることを特徴とする遊技機；
を要旨とする。
【００１５】
また、
（２）入賞装置が、遊技盤の前面側で揺動して遊技球の流路を開閉する揺動体と、該揺動体を駆動する揺動体駆動装置とを備える上記（１）に記載の遊技機；
（３）入賞装置には、前記検知センサと揺動体駆動装置とが横並びに設けられるとともに、前記始動入賞口から検知センサに至る遊技球の流路が曲げ形成されていることを特徴とする上記（２）に記載の遊技機；
（４）裏樋部材の前記背面が遊技盤と対向する平面状に形成されるとともに、前記センサケーブルが接続されて検知センサからの前記検知信号を前記制御基板に中継して送信するための中継基板が、前記背面上に搭載されている上記（１）から（３）のいずれかに記載の遊技機；
（５）前記センサケーブルが、裏樋部材に覆われた内部空間において他のケーブルと結束されていることを特徴とする上記（１）から（４）のいずれかに記載の遊技機；
によってもそれぞれ上記本考案の目的を達成することができる。
【考案の効果】
【００１６】
本考案にかかる遊技機によれば、裏樋部材により始動入賞装置を後方から被覆することで、検知センサに対して柔軟体などの不正器具を用いて直接的にアクセスされることが防止される。また検知センサから一旦後方に引き出されたセンサケーブルが、いずれかの方向に少なくとも一度折り曲げられた状態で裏樋部材の周面から導出される。このため、該導出されたセンサケーブルに不正器具により物理的にアクセスされた場合も検知センサに引き抜き荷重が加えられることがなく、したがって検知センサが誤作動をすることがない。これは、裏樋部材の周面から上下または左右方向（側方）に導出されたセンサケーブルを後方より引っ張った場合にセンサケーブルに主として作用するのは周面との接触部における剪断方向の荷重となるためである。また検知センサからまず後方に引き出されたセンサケーブルを側方から引っ張った場合についても、同様に検知センサとセンサケーブルとの接続箇所には引き抜き方向（前後方向）の荷重が伝達されず、引抜荷重を検知センサに与えることができない。
また本考案にかかる遊技機によれば、始動入賞口に入賞した遊技球と、その他入賞口に入賞した遊技球とを一つの裏樋部材によってそれぞれ誘導し、所定の経路を通じてこれらを排出することができるため、入賞した遊技球がケーブル類などと干渉して転動性が損なわれることがなく、また遊技盤の裏面に取り付けるべき部材点数を削減してコスト性および取り付け作業性を良好にしている。
【考案を実施するための最良の形態】
【００１７】
以下、遊技機としてパチンコ機を例にとり本考案を実施するための最良の形態について図面を用いて具体的に説明する。図１はパチンコ機１０の正面図である。遊技者はパチンコ機１０の機枠１７に嵌め込まれた遊技盤１１に正対して遊技を行う。
【００１８】
遊技盤１１には遊技領域１８が円形などに区画形成され、またその前面側には多数の釘（図示省略）によって遊技球の流路が形成されている。弾球装置１２によって遊技盤１１の上方に発射された遊技球は、自重により落下しつつ釘と衝突して経路を複雑に描きながら遊技盤１１の前面側を転動流下する。本実施の形態にかかる遊技盤１１の前面には、上下二段に設けられた第一始動入賞口２１ａおよび第二始動入賞口２１ｂ（あわせて始動入賞口２１と呼称する場合がある。）、第二始動入賞口２１ｂを左右から挟んで取り付けられた一対の揺動体２５、その他入賞口としてチャッカー１５および大入賞口６４、さらに液晶パネルやリールなどの図柄表示装置１６、およびキャラクターや電飾などの装飾部材が備え付けられ、最下方には流下した遊技球を回収する排出孔が設けられる。遊技球が始動入賞口２１に入賞すると図柄表示装置１６では各種の演出や図柄変動ゲームが行われ、また大当たりの抽選が行われる。大当たり当選によって開放された大入賞口６４への入賞による賞球、またはチャッカー１５への入賞により獲得された賞球は、パチンコ機１０の下方に設けられた上皿１３や下皿１４にむけて払い出され、遊技者は再び遊技球としての使用が可能である。
【００１９】
図２は本考案の実施の形態にかかる遊技盤１１の背面図であり、また図３は図２のＡ−Ａ断面図である。
第一始動入賞口２１ａ、および該入賞口への遊技球１００の入賞を検知する第一検知センサ２２ａを少なくとも備える始動入賞装置２０は、遊技盤１１に穿設された開口部１１０に対し、第一始動入賞口２１ａが遊技盤１１の前方に突出して取り付けられる。また始動入賞装置２０は、左右方向（紙面前後方向）に横並びに設けられた一対の揺動体２５と、揺動体２５が揺動して開放状態となった時に遊技球１００が入賞可能となる第二始動入賞口２１ｂと、これに入賞した遊技球１００を検知する第二検知センサ２２ｂとを備え、さらにプランジャ２８およびこれを出没させるソレノイド２６と、プランジャ２８によって先端が昇降駆動されるリンク部材２７とを揺動体駆動装置２３として有している。リンク部材２７の昇降によって左右に揺動駆動される揺動体２５は、いわゆる羽根と呼ばれ、一対の揺動体２５を互いに逆相に揺動させることで第二検知センサ２２ｂに至る流路に開放状態と閉止状態とが作られる。また揺動のタイミングをコンピュータ６０（図２を参照。）で制御することにより所定のタイミングで遊技球１００の入賞確率を上昇させることは上述の通りである。
【００２０】
なお、第一始動入賞口２１ａに入賞した遊技球１００と、第二始動入賞口２１ｂを入賞した遊技球１００とを識別する必要がない場合はいずれか一方の検知センサのみを用いて入賞判定をすることもできる。またパチンコ機１０の種類によっては、ひとつの揺動体２５を単独で揺動駆動して遊技球１００の流路を開閉制御する場合や、３つ以上の揺動体２５をもって、または揺動体２５とその他の固定部材または回転部材などとを組み合わせて流路の開閉制御を行う場合も採り得るところであり、揺動体２５の具体的な形状や駆動パターンは任意である。また複数の揺動体２５を備えるパチンコ機１０の場合、リンク部材２７はそれぞれの揺動体２５に一つずつ個別に設けられても、ひとつのリンク部材２７によって複数の揺動体２５をともに駆動してもよい。またリンク部材２７の昇降駆動は、始動入賞装置２０の寸法制約上、一式のプランジャ２８およびソレノイド２６により行うことが通常である。
【００２１】
図３の縦断面図に示すように、第一検知センサ２２ａとソレノイド２６とは始動入賞装置２０の内部で横並びに配置されている。同図に例示の場合についていえば、第一検知センサ２２ａが同図の手前側、ソレノイド２６が奥側に位置している。一方、始動入賞口２１は始動入賞装置２０の幅方向の中央に設けられ、一対の揺動体２５はその中央を挟んで左右対称に設けることが配置バランス上、好適である。したがって本考案にかかる始動入賞装置２０では、第一始動入賞口２１ａから第一検知センサ２２ａに至る遊技球１００の流路である転動路２９を同図手前側に向かってクランク状またはカーブ状などに曲げ形成することにより、入賞した遊技球１００の流動を阻害するがことなく、また始動入賞装置２０をコンパクトかつバランスよく作製することができる。なお、曲げ形成された転動路２９から遊技球１００が脱落することのないよう、転動路２９には上部に上蓋を設けるか、同図に示すようにリブ３６を転動路２９に沿ってガイドとして立設するとよい。
【００２２】
本考案にかかるパチンコ機１０は、遊技盤１１の裏面側に裏樋部材３０を有することを特徴とする。裏樋部材３０は背面３２と周面３３とを備え、これと遊技盤１１とで囲まれる閉空間３１が内部に形成されている。閉空間３１には、遊技盤１１の開口部１１０から後方に突出した始動入賞装置２０の背面側を収容する。
また裏樋部材３０は、始動入賞口２１や、チャッカー１５などのその他入賞口に入賞した遊技球１００の流路を個別に形成する。その他入賞口より入賞した遊技球１００の流路は閉空間３１とは隔離して設けられ、始動入賞口２１を経由して閉空間３１を通過する遊技球１００の転動が阻害されたり、その計数に問題が生じたりすることはない。
このように、裏樋部材３０により始動入賞装置２０の背面側を物理的に掩覆することにより、ピアノ線などの不正器具により後方から第一検知センサ２２ａや第二検知センサ２２ｂ、および揺動体２５や揺動体駆動装置２３などにアクセスされることを防止し、また複数の入賞口より入賞した遊技球１００の流路を一つの裏樋部材３０で形成できることから部品点数の削減や取付作業性の向上に資する。
【００２３】
裏樋部材３０には上記したリブ３６が上側の周面３３などから立設されて、転動路２９上にある遊技球１００の流動を保護している。また周面３３には下方開口３４と上方開口３５とが設けられている。図３に例示する下方開口３４は通孔として、上方開口３５は切欠として形成されている。第一検知センサ２２ａおよび第二検知センサ２２ｂを通過した遊技球１００は、下方開口３４を落下して大入賞口６４へと送られることで、アタッカー５０から大入賞口６４に入賞した遊技球１００とともに、コンピュータ６０により賞球の払い出しが行われる。
【００２４】
本実施の形態にかかる始動入賞装置２０においては、第一検知センサ２２ａのコネクタ４０、および第二検知センサ２２ｂのコネクタ４２が、ともに当該センサの前側に位置するよう始動入賞装置２０に組み付けられている。したがって第一検知センサ２２ａのセンサケーブル４１と、第二検知センサ２２ｂのセンサケーブル４３は、ともに始動入賞装置２０の内部においてまず前側に導出された後、向きを反転させて始動入賞装置２０の後方より引き出される構成となっている。これにより、始動入賞装置２０の後方にむかってセンサケーブル４１，４３が仮に引張荷重を受けた場合であってもコネクタ４０，４２が引き抜かれることがなく、入賞の誤検出が防止されるとともに、第一および第二検知センサ２２ａ，２２ｂの長手方向が遊技盤１１の奥行方向に揃えられることにより、始動入賞装置２０の幅寸法を小さくすることが可能である。
【００２５】
これに対し、さらに本考案において特徴的なように、始動入賞装置２０から引き出されたセンサケーブル４１，４３は、裏樋部材３０の周面３３に設けられた上方開口３５などの切欠、または下方開口３４などの通孔を通じて閉空間３１から外部に導出される。図３に例示する本実施の形態では、センサケーブル４１，４３は上方開口３５より引き出されている。切欠や通孔は、図３に示すように周面３３の上下方向に設けるほか、左右方向に形成することも可能である。なお上方開口３５は制御基板６１の取り付けられるリアパック６３によって、引き出されたセンサケーブル４１，４３と干渉することなく掩蔽可能である。
【００２６】
本考案にかかる遊技機によれば、裏樋部材３０の外部空間においては、センサケーブル４１，４３は一旦その周面３３から離れる方向、すなわち遊技盤１１に沿う上下または左右方向に延びることになる。その後、センサケーブル４１，４３は遊技盤１１の裏面に沿って、または必要に応じて遊技盤１１から後方側に立ち上がるなどして、遊技制御用のコンピュータ６０を搭載した制御基板６１に連絡する。
【００２７】
したがって、裏樋部材３０により始動入賞装置２０の背面側を被覆したことにより、不正器具を用いて第一および第二検知センサ２２ａ，２２ｂに物理的にアクセスしづらくするとともに、裏樋部材３０の外部に引き出されたセンサケーブル４１，４３に後方または側方から引っ張り荷重を与えた場合も、上記本考案の効果として説明したように、コネクタ４０，４２に対して引抜荷重が生じぬよう、該荷重の伝達経路上においてこれを遮断し、またはその向きを変えることができる。これにより、仮に裏樋部材３０から延出されたセンサケーブル４１，４３に不正器具を用いてアクセスされたとしても、第一および第二検知センサ２２ａ，２２ｂの誤作動が生じることがない。
【００２８】
なお、遊技盤１１の組み立て作業性およびメンテナンス性の観点から、およびセンサケーブル４１，４３の長さを短縮可能であることから、第一および第二検知センサ２２ａ，２２ｂとコンピュータ６０との間に中継基板６２を介するとよい。中継基板６２にはセンサケーブル４１，４３と接続する所要の信号端子を備え、また中継基板６２と制御基板６１とは他の配線により電気的に接続されている。中継基板６２にはソレノイド２６に電流を供給する給電端子を設けてもよい。
【００２９】
本実施の形態として図２および図３に例示する裏樋部材３０の背面３２は、遊技盤１１の裏面と平行または略平行な平面として形成され、その面上（背面側）に上記の中継基板６２が搭載可能である。かかる構成とすることにより、裏樋部材３０を基板類の搭載スペースとして活用することができるため遊技盤１１の裏面側の実装密度が向上する。
【００３０】
裏樋部材３０は、始動入賞装置２０の背面側を収容可能であって、検知センサのセンサケーブルが周面３３より側方に導出されるものであり、また入賞した遊技球１００の流路を閉空間３１内で妨げないものである限り具体的な形状は特に限定されるものではない。すなわち同図に例示の如く背面３２が遊技盤１１と平行または略平行であって周面３３と直交する箱型形状に限られるものではなく、背面３２と周面３３とが椀状や半円筒状などに一体に構成された形状も採ることができる。かかる裏樋部材３０は、熱可塑性樹脂材料の熱プレス成形などによって得ることができる。
【００３１】
第一および第二検知センサ２２ａ，２２ｂから延出し、中継基板６２や制御基板６１に至るセンサケーブル４１，４３は、互いに、また他の電源ケーブルや信号ケーブルなどと結束または接合されることが好ましい。結束は例えば樹脂などの結束体４４により行うか、またはケーブル同士を互いに交絡させて行うことができる。
検知センサの誤作動を誘起する虞のあるケーブルを他のケーブル、特にセンサケーブルよりもリジッドなケーブルと結束することにより、不正器具でこれに引張荷重が加えられた場合も、当該他のケーブルを通じて荷重が分散し、検知センサのコネクタに引抜荷重が伝達することをより好適に防止することができる。またセンサケーブル４１，４３同士を互いに結束した場合も、不正器具による引張荷重が複数の異なる方向に伝達されるため、コネクタ４０，４２を引き抜くことが困難となる。
【００３２】
センサケーブル４１，４３と結束するに好適なケーブルとして、始動入賞装置２０の背面側に導出されるソレノイド２６の給電ケーブルは一般に上記の条件を満たす。該給電ケーブルとセンサケーブル４１，４３とを始動入賞装置２０の近傍において結束することにより、図３に示すように閉空間３１内部において周面３３の切欠や通孔から遠い内奥の位置まで不正器具を到達させなければセンサケーブルのみにアクセスすることができなくなり、したがってそのコネクタに引抜荷重を与えて検知センサの誤作動を引き起こすことが困難となる。
【図面の簡単な説明】
【００３３】
【図１】本考案の実施の形態にかかるパチンコ機１０の正面図である。
【図２】裏樋部材３０を備える遊技盤１１の背面図である。
【図３】図２のＡ−Ａ断面図である。
【符号の説明】
【００３４】
１０          パチンコ機
１１          遊技盤
２０          始動入賞装置
２１          始動入賞口
２２ａ        第一検知センサ
２２ｂ        第二検知センサ
２３          揺動体駆動装置
２５          揺動体
３０          裏樋部材
３１          閉空間
３２          背面
３３          周面
４０，４２    コネクタ
４１，４３    センサケーブル
６０          コンピュータ
６１          制御基板
６２          中継基板
１００        遊技球
【図１】
0003125466.tif 000003
【図２】
0003125466.tif 000004
【図３】
0003125466.tif 000005